(57)【要約】【課題】ワンタッチで録画設定が可能であるとともに、録画開始時刻を任意にシフトすることを可能とする。【解決手段】リモコン６のＯＴＲキーを押し下げ、そのＯＴＲキーの操作回数によって録画時間を設定する。録画時間の確定と同時にタイマカウントを開始する。この後、リモコン６のシフトキーによって録画開始までの時間を設定する。これにより、設定した録画開始までの時間がシフトされ、シフトした録画開始時間に録画動作が開始し、録画時間の経過と共に録画動作が停止する。【選択図】図１
2007143043.tif 000002
【特許請求の範囲】
【請求項１】
テレビジョン放送の映像信号を記憶媒体に記録し、その記録媒体の記憶された映像信号を再生する手段と、録画設定するための入力手段と、この入力手段で設定した録画設定情報を記憶する記憶手段と、この記憶手段に記憶した録画設定情報を呼び出して表示させる表示処理部と、タイマ手段とを備え、前記入力手段が、録画時間を設定する録画時間設定手段と、この録画時間設定手段によって録画時間を確定した時刻から録画を開始するまでの時間を設定する録画開始時間シフト手段と、この録画開始時間シフト手段で設定した時間に前記録画時間設定手段で設定した録画時間を保持したまま録画を開始するための制御手段を設けたことを特徴とする映像記録装置。
【請求項２】
前記入力手段には、少なくとも前記録画時間設定手段と録画開始時間シフト手段に割り当てたワンタッチタイマーレコーディングキーとシフトキーとを備え、これらのキーを複数回、操作することによって録画時間と録画を開始するまでの時間を設定可能とするとともに、前記制御手段は、前記ワンタッチタイマーレコーディングキーによる録画時間の確定と連動して前記タイマ手段を作動し、前記シフトキーによって録画を開始するまでの時間の確定し、このシフトキーで設定した録画開始時間から録画時間設定手段で設定した録画時間まで録画するように制御したことを特徴とする請求項１記載の映像記録装置。
【請求項３】
前記表示処理部によって、少なくとも前記録画設定情報として録画する放送番組のチャンネルと、録画時間及び録画開始までの時間を表示して成ることを特徴とする請求項１又は２記載の映像記録装置。
【発明の詳細な説明】
【技術分野】
【０００１】
本発明は、映像記録装置に係り、特にワンタッチタイマーレコーディング機能を備えた映像記録装置に関する。
【背景技術】
【０００２】
従来からテレビジョン放送の番組をタイマ予約できる機能を備えた映像記録装置においては、録画しようとする任意のテレビジョン放送の番組の開始時刻や放送番組のチャンネル及び終了時刻などの予約情報をタイマ予約することによって、予約した開始時刻になると自動的に予約したチャンネルのテレビジョン放送番組の録画が開始され、終了時刻に録画動作が停止する。このような予約録画設定は予約するチャンネル、予約する曜日や開始時刻及び終了時刻などを入力してタイマ予約設定する必要があり、操作が煩わしい。
【０００３】
このため、特許文献１などには、録画開始時にその終了時間をワンタッチで設定可能なワンタッチタイマーレコーディングスイッチを備え、このワンタッチタイマーレコーディングスイッチを１回、押すことによって例えば、１５分毎に録画終了時間を延長するワンタッチタイマーレコーディング機能が有する映像記録装置が提案されている。また、特許文献２には、タイマ予約により予約開始時間と終了時間を予約設定した後、その予約開始時間と終了時間をワンタッチで前後にシフトすることが可能なタイマー機能付き録画装置が開示されている。
【０００４】
【特許文献１】特開平１０−１０６０６３号公報
【特許文献２】特開平５−２７４７４３号公報
【発明の開示】
【発明が解決しようとする課題】
【０００５】
しかし、特許文献１に示す映像記録装置では、ワンタッチタイマーレコーディングスイッチを操作することによって、録画時間をワンタッチで設定することができるが、録画開始時間をタイマー予約することができないから、必ず録画したい番組の放送時間でワンタッチタイマーレコーディングスイッチを操作する必要があり、例えば１０時から録画したい放送番組がある場合、少なくとも１０時若しくはその直前にワンタッチタイマーレコーディングスイッチを操作しなければならない。このため、例えば、深夜の放送番組などを録画する場合、その放送開始時間まで待ってワンタッチタイマーレコーディングスイッチを操作するといった煩わしさがあるとともに不在時には録画設定することができない。一方、特許文献２に示すタイマー機能付き録画装置は、設定した予約開始時間と終了時間をワンタッチで前後にシフトすることが可能であるが、予約開始時間と終了時間をタイマ予約する必要があるから、前述したように開始時刻及び終了時刻などを入力するといった煩わしい手間がかかる、という課題を有している。
【０００６】
本発明は上記課題を鑑みてなされたものであり、予約開始時間と終了時間を入力することなく、ワンタッチで録画設定が可能であるとともに、録画開始時刻を任意にシフトすることが可能な映像記録装置を提供することを可能とする。
【課題を解決するための手段】
【０００７】
請求項１の映像記録装置は、テレビジョン放送の映像信号を記憶媒体に記録し、その記録媒体の記憶された映像信号を再生する手段と、録画設定するための入力手段と、この入力手段で設定した録画設定情報を記憶する記憶手段と、この記憶手段に記憶した録画設定情報を呼び出して表示させる表示処理部と、タイマ手段とを備え、前記入力手段が、録画時間を設定する録画時間設定手段と、この録画時間設定手段によって録画時間を確定した時刻から録画を開始するまでの時間を設定する録画開始時間シフト手段と、この録画開始時間シフト手段で設定した時間に前記録画時間設定手段で設定した録画時間を保持したまま録画を開始するための制御手段を設けたことを特徴とする。
【０００８】
請求項１の構成により、録画時間設定手段によって録画時間を設定し、録画開始時間シフト手段によって録画を開始するまでの時間を設定する。録画開始時間シフト手段によって設定した時間に達すると録画動作が開始され、録画時間設定手段によって設定した録画時間に達すると録画が停止する。
【０００９】
請求項２の映像記録装置は、請求項１記載の映像記録装置において、前記入力手段には、少なくとも前記録画時間設定手段と録画開始時間シフト手段に割り当てたワンタッチタイマーレコーディングキーとシフトキーとを備え、これらのキーを複数回、操作することによって録画時間と録画を開始するまでの時間を設定可能とするとともに、前記制御手段は、前記ワンタッチタイマーレコーディングキーによる録画時間の確定と連動して前記タイマ手段を作動し、前記シフトキーによって録画を開始するまでの時間の確定し、このシフトキーで設定した録画開始時間から録画時間設定手段で設定した録画時間まで録画するように制御したことを特徴とする。
【００１０】
請求項２の構成によれば、ワンタッチタイマーレコーディングキーのキー操作によって、録画時間を設定すると、タイマによるタイマカウントが開始される。この後、シフトキーのキー操作によって録画を開始するまでの時間を設定する。これにより、ワンタッチタイマーレコーディングキーで設定した録画時間を保持したまま録画開始時間がシフトする。
【００１１】
請求項３の映像記録装置は、請求項１又は２記載の映像記録装置において前記表示処理部によって、少なくとも前記録画設定情報として録画する放送番組のチャンネルと、録画時間及び録画開始までの時間を表示して成ることを特徴とする。
【００１２】
請求項３の構成により、録画設定時に録画する放送番組のチャンネルと録画時間及び録画開始までの時間を視覚的に確認できるとともに、設定時から録画開始までの時間がカウント表示される。
【発明の効果】
【００１３】
請求項１の映像記録装置によれば、テレビジョン放送の映像信号を記憶媒体に記録し、その記録媒体の記憶された映像信号を再生する手段と、録画設定するための入力手段と、この入力手段で設定した録画設定情報を記憶する記憶手段と、この記憶手段に記憶した録画設定情報を呼び出して表示させる表示処理部と、タイマ手段とを備え、前記入力手段が、録画時間を設定する録画時間設定手段と、この録画時間設定手段によって録画時間を確定した時刻から録画を開始するまでの時間を設定する録画開始時間シフト手段と、この録画開始時間シフト手段で設定した時間に前記録画時間設定手段で設定した録画時間を保持したまま録画を開始するための制御手段を設けたものであるから、入力手段によって録画時間を設定した後、録画開始までの時間を設定することによって、録画したい番組の放送時間に合わせて録画をセットするといた時間的な制約を受けることなく、録画を自由な時間にセットすることができる。
【００１４】
請求項２の映像記録装置によれば、請求項１記載の映像記録装置において、前記入力手段には、少なくとも前記録画時間設定手段と録画開始時間シフト手段に割り当てたワンタッチタイマーレコーディングキーとシフトキーとを備え、これらのキーを複数回、操作することによって録画時間と録画を開始するまでの時間を設定可能とするとともに、前記制御手段は、前記ワンタッチタイマーレコーディングキーによる録画時間の確定と連動して前記タイマ手段を作動し、前記シフトキーによって録画を開始するまでの時間の確定し、このシフトキーで設定した録画開始時間から録画時間設定手段で設定した録画時間まで録画するように制御したものであるから、入力手段のキー操作によって録画開始時間と録画を開始するまでの時間を簡単に設定することができ、録画開始時間と録画終了時間とをタイマ予約するといった煩わしい手間も不要であり、操作性にも優れる。
【００１５】
請求項３の映像記録装置によれば、請求項１又は２記載の映像記録装置において、前記表示処理部によって、少なくとも前記録画設定情報として録画する放送番組のチャンネルと、録画時間及び録画開始までの時間を表示して成るものであるから、表示部に表示された録画時間と録画開始までの時刻を視覚的に確認しながら、録画設定が可能となる。
【発明を実施するための最良の形態】
【００１６】
以下、本発明を実施するための最良の形態としての添付図面を参照して説明する。もちろん、本発明は、その発明の趣旨に反さない範囲で、実施例において説明した以外のものに対しても容易に適用可能なことは説明を要するまでもない。
【００１７】
図１〜図９は、本発明の実施例１を示し、図１は本実施例の映像再生装置１の構成を示すブロック図である。映像再生装置１は、ＤＶＤ等の光ディスクや又はハードディスなどのからなる記憶媒体２と、チューナ（図示しない）などからの映像音声信号を変換する映像／音声処理部３、この映像／音声処理部３で変換した映像音声信号を前記記憶媒体２に記憶するための処理並びに該記憶媒体２に記憶された映像音声データを再生する等の処理を行う記録／再生手段４、映像再生装置１の各種の制御をするための制御手段５などによって構成される。また映像再生装置１は、後述する各種操作キー（図示せず）を備えた入力手段としてのリモコン６または映像再生装置１に設けた各種ボタンから成る操作手段７によって操作し、前記記録／再生手段４によって読み出されたデータから映像信号及び音声信号を生成し、外部の表示装置８の表示部９（液晶パネルやブラウン管等で構成される）に出力する。
【００１８】
前記制御手段５は、時間をカウントするタイマ１０と、前記リモコン６または操作手段７によって設定された情報などを記憶する記憶手段としてのメモリ１１と、前記表示部９に表示するための表示処理部たるＯＳＤ作成部１２とを備え、前記リモコン６から送信された信号は受光部８で受信して制御手段５に送信し、メモリ１１に記憶する。ＯＳＤ作成部１２はそのメモリ１１に記憶された情報を読み出し、表示部９に表示させるための処理を行う。
【００１９】
図２は、リモコン６を示す正面図である。リモコン６は、電源（ＰＯＷＥＲ）キー２０や各種の切り換えキー、チャンネルを切り換える０〜９の数字キー２１あるいは音量を調整するボリュームキー２２などの各種機能キー２３や上下左右のシフトキー２４、決定キー２５及び通常のタイマ録画キー２５、ワンタッチタイマーレコーディングキー（以下、ＯＴＲキーと称す）２６などを備える。ＯＴＲキー２６を操作すると、簡単録画設定を指示する制御信号を送信し、左右のシフトキー２４を操作することによって録画開始時間がシフトする。
【００２０】
図３及び図４は、簡単録画設定から録画開始時間をシフトさせるまでの動作を示すフローチャートである。図３において、ステップＳ１は、ＯＴＲキー２６が押されたか否かを判定しており、ＯＴＲキー２６が押された場合には、判定がイエスとなってステップＳ２において録画モードとなる。録画時間はＯＴＲキー２６を押した回数で決定する。例えば図５に示すように、１回押す毎に３０分毎に録画時間が延長され、最大で４時間まで録画時間を設定でき、４時間を越えるＯＴＲキー２６の操作が成された場合、録画時間がリセットされる。この録画時間の設定時には図７に示すように、ＯＳＤ作成部１２によって表示部９に録画操作時のナビ画面９Ａが表示される。ナビ画面９Ａには録画設定情報として録画時間、録画する放送番組のチャンネルと録画を開始するまでの時間及びその録画開始時間を送らせる操作方法を表すメッセージが表示され、ユーザはナビ画面９Ａを確認しながらＯＴＲキー２６を操作し、録画時間を設定する（図７においては録画するチャンネルが４で録画時間を１：３０に設定した場合を示す）。このようにＯＴＲキー２６を複数、操作し、最後にＯＴＲキー２６が押された時刻Ａからタイマ１０を作動して録画時間Ｂを設定する（ステップＳ４,Ｓ５）。この後、最後にＯＴＲキー２６が押された時刻Ａからの経過時間を判定し（ステップＳ６）、録画時間Ｂがカウントダウンするとともに、記憶媒体２に放送番組の映像音声信号が録画し、録画時間Ｂに達すると録画動作が完了する（ステップＳ７,Ｓ８）。
【００２１】
ステップＳ９は、複数、ＯＴＲキー２６が押された後、シフトキー（右）２４が押されたどうか否かを判定しており、シフトキー（右）２４が押された場合には、判定がイエスとなってステップＳ１０において録画開示までの時間が表示される。すなわち、図８に示すようにナビ画面９Ａにはシフトキー（右）２４が押された時点で０：００の時刻Ａが録画開示までの時間として表示され、録画開始時間のシフトモードとなる（ステップＳ１０）。一方、シフトキー（右）２４が押されなかった場合には、引き続きＯＴＲキー２６が押されたどうかを判定し（ステップＳ１１）、ＯＴＲキー２６が押された場合、ステップ４の録画時間Ｂの設定に戻り、ＯＴＲキー２６が押されなかった場合、ステップＳ６のＯＴＲキー２６が押された時刻Ａからの経過時間の判定モードに戻る。
【００２２】
録画開始時間のシフトモードに以降した場合、図６に示すようにシフトキー（右）２４の操作回数によって録画開始時間を設定する。すなわち、シフトキー（右）２４を１回押す毎に録画開始時間が１０分シフトされ、最大で２時間まで録画開始時間をシフトでき、２時間を越えるシフトキー（右）２４の操作が成された場合、リセットされる。また、録画開始時間をシフトしている途中で左方向のシフトキー２４を操作すれば、録画開始までの時間を戻すことができ、このような、録画開始までの時間の設定時には図９に示すように、ナビ画面９Ａに録画開始までの時間が表示され、ユーザはその録画開始までの時間を確認しながら右又は左のシフトキー２４で録画開始までの時間を設定する。すなわち、シフトキー（右）２４を最低２回操作すると（ステップＳ１２）、録画開始時間のシフトモードとなり、録画が停止する（ステップＳ１３）。録画開始時間のシフトモードではナビ画面９Ａには録画開始までの時間が表示され、シフトキー（右）２４の操作回に応じてナビ画面９Ａには録画開始までの時間Ｄが表示される。ユーザはナビ画面９Ａを見ながら所望する録画開始までの時間Ｄが表示されるまでシフトキー（右）２４を操作し、ナビ画面９Ａに所望する時間が表示された段階でシフトキー（右）２４の操作を停止し（ステップＳ１４）、録画開始までの時間Ｄを確定する（ステップＳ１５）。この後、ＯＴＲキー２６が押された時刻Ａからの経過時間判定モードとなる（ステップＳ１６）。なお、録画開始までの時間Ｄを調整する場合、シフトキー（右）２４を操作すれば録画開始までの時間Ｄを遅らせることができ（ステップＳ１７、Ｓ１８）、シフトキー（左）２４を操作すれば録画開始までの時間Ｄを早めることができ（ステップＳ１９、Ｓ２０）。こうして録画開始までの時間Ｄを決定すると、ＯＴＲキー２６が押された時刻Ａから録画開始までの時間Ｄが経過した時点で録画が開始され（ステップＳ２１）、録画開始からナビ画面９Ａで設定した録画時間Ｂまで録画動作を続行し（ステップＳ２２）、録画時間Ｂに達すると録画動作を完了する（ステップＳ２３,Ｓ２４）。
【００２３】
以上のように本実施例によれば、ＯＴＲキー２６によって録画時間Ｂを設定した後、シフトキー２４によって録画開始までの時間Ｄを簡単にシフトすることができる。したがって、ユーザーは、録画したい番組の放送時間に合わせて録画をセットするといった時間的な制約を受けることなく、自由な時間に録画をセットすることができる。また、ワンタッチタイマーレコーディング機能により録画時間を簡単に設定でき、しかも、その開始時間を任意にシフトできるので、録画開始時間と終了時間をタイマ予約するといった煩わしい手間も不要である。
【００２４】
以上、本発明の実施例について詳述したが、本発明は前記実施例に限定されるものではなく、本発明の要旨の範囲内で種々の変形実施が可能である。例えば前記実施例においては、ＯＴＲキー２６によって録画時間を設定し、シフトキー２４によって録画開始までの時間を設定していたが、これらのキー２４,２７以外でもよい。また、録画時間を設定する際、図６に示すようにシフトキー２４を１回押す毎に１０分シフトさせた例を示したが、例えば、スキップキープラスキー（図２においてＫ３４と表記させているキー）に３０分シフトさせる機能を付与し、シフトキー２４で１０分、スキップキープラスキーでは３０分シフトさせるようにして、シフト時間が異なる複数のキーによってシフトさせる時間を設定するように構成してもよい。さらに、これらのシフトキー２４あるいはスキップキープラスキーを操作してシフトする時間は１０分、３０分に限らず任意の時間に設定可能である。
【図面の簡単な説明】
【００２５】
【図１】本発明に係る映像記憶装置の一実施例を示すブロック図である。
【図２】同上、リモコンの正面図である。
【図３】同上、簡単録画設定から録画開始時間をシフトさせるまでの動作を示すフローチャートであり、録画開始からシフトキーの押し下げによる録画開始までの時間の設定までの流れを示している。
【図４】同上、簡単録画設定から録画開始時間をシフトさせるまでの動作を示すフローチャートであり、録画開始までの時間の設定から録画動作の終了までの流れを示している。
【図５】同上、ＯＴＲキーによる録画時間の設定手順を示す説明図である。
【図６】同上、シフトキーによる録画開始までの時間の設定手順を示す説明図である。
【図７】同上、録画時間の設定時のナビ画面を示す説明図である。
【図８】同上、録画時間の設定時のナビ画面を示す説明図である。
【図９】同上、録画時間の設定時のナビ画面を示す説明図である。
【符号の説明】
【００２６】
１  映像再生装置
２  記憶媒体
３  映像／音声処理部
４  記録／再生手段
５  制御手段
６  リモコン（入力手段）
９  表示部
９Ａ  ナビ画面
１１  メモリ（記憶手段）
１２  ＯＳＤ作成部（表示処理部）
２４  シフトキー（録画開始時間シフト手段）
２６  ＯＴＲキー（録画時間設定手段）
【図１】
2007143043.tif 000003
【図２】
2007143043.tif 000004
【図３】
2007143043.tif 000005
【図４】
2007143043.tif 000006
【図５】
2007143043.tif 000007
【図６】
2007143043.tif 000008
【図７】
2007143043.tif 000009
【図８】
2007143043.tif 000010
【図９】
2007143043.tif 000011